(57)【要約】【課題】開放型および閉鎖型混合装置両方に使用するのに容易に適した混合構造を提供すること。【解決手段】側壁部（１６）、底部（１４）および頂部（１８）により構成され、頂部に少なくとも１つの開口部が通っているタンク（１２）を有する閉鎖タンク混合装置用の混合構造。この混合構造はタンクの頂部の開口部を通って延びている非回転の細長いアーム（２２）を備えており、このアーム（２２）は枢軸線（２６）を中心に移動可能に設けられている。また、混合構造は、アームにこれと共にタンク内で移動可能に位置決めされた羽根車を有しており、羽根車は、アームが枢軸線を中心に前後に回動すると、タンク内で弧状経路に沿って前後に移動する【選択図】図２
2004532115.tif 000002
【特許請求の範囲】
【請求項１】
側壁部、底部および頂部により構成され、頂部には少なくとも１つの開口部が通っているタンクを有する閉鎖タンク混合装置用の混合構造において、
タンクの頂部の開口部を通って延びている非回転の細長いアームを備えており、該アームは枢軸線を中心に移動可能に設けられており、
アームにこれと共にタンク内で移動可能に位置決めされた羽根車とを有しており、羽根車は、アームが枢軸線を中心に前後に回動すると、タンク内で弧状経路に沿って前後に移動することを特徴とする混合構造。
【請求項２】
タンクの頂部の上方で開口部の外側に位置決めされた支持体を更に備えており、アームは支持体にこれと共に移動可能に堅固に連結されており、支持体の移動が枢軸線を中心とするアームの回動を引起すことを特徴とする請求項１に記載の混合構造。
【請求項３】
タンク内の内容物を密封し完全に閉じ込めるための可撓性シールを更に備えていることを特徴とする請求項２に記載の混合構造。
【請求項４】
可撓性シールがベローズ部材よりなることを特徴とする請求項３に記載の混合構造。
【請求項５】
可撓性シールの第１側面をタンクの頂部の開口部のまわりに固着する第１支持リングと、可撓性シールの第２側面を支持体に固着する第２支持リングとを更に備えていることを特徴とする請求項３に記載の混合構造。
【請求項６】
タンクの開口部は環状フランジにより画成されており、可撓性シールは環状フランジに取付けられていることを特徴とする請求項３に記載の混合構造。
【請求項７】
可撓性シールはポリテトラフルオロエチレン（PTFE）、フルオロエラストマ材料、パーフルオロエラストマ材料またはステンレス鋼材料のうちの１つで形成されていることを特徴とする請求項３に記載の混合構造。
【請求項８】
羽根車は第１および第２の直径方向に対向した翼を有しており、第１翼は第１側に概ね凹形の部分、および第２側に概ね凸形の部分を有しており、第２翼は第１側に概ね凹形の部分、および第２側に概ね凸形の部分を有しており、第１翼の第１側は弧状経路の一方の側に面しており、他方の翼の第１側は弧状経路の反対側に面しており、弧状経路に沿った羽根車の前後移動がタンクの頂部の開口部と直角なタンク軸線を中心とするタンク内の網状円形の流れを生じることを特徴とする請求項１に記載の混合構造。
【請求項９】
アームを枢軸線を中心に回動させる手段を更に備えていることを特徴とする請求項１に記載の混合構造。
【請求項１０】
枢軸線はタンクの上方に位置決めされた少なくとも１つの支持軸により構成されており、支持体が枢軸線を中心に回転可能に軸と連結されており、細長いアームは支持体にこれと共に移動可能に堅固に連結されており、支持体を前後に回転させるためのモータがリンク仕掛けを介して支持体に連結されていることを特徴とする請求項１に記載の混合構造。
【請求項１１】
枢軸線はタンクの外側の箇所において延びていて、タンクの開口部の下方に位置決めされた少なくとも１つの支持軸により構成されており、この軸はタンク開口部の上方に位置決めされた支持体に連結されており、細長いアーム部材は支持体から延びており、枢軸線はアーム部材に沿った中間箇所でタンクの頂部開口部の下方に位置決めされていることを特徴とする請求項１に記載の混合構造。
【請求項１２】
弧状経路に沿った羽根車の前後移動がタンクの頂部の開口部と直角なタンク軸線を中心とするタンク内の網状円形の流れを生じることを特徴とする請求項１に記載の混合構造。
【請求項１３】
タンク、アームおよび羽根車はガラスライニングされていることを特徴とする請求項１に記載の混合構造。
【請求項１４】
アームはまっすぐな軸より構成されていることを特徴とする請求項１に記載の混合構造。
【請求項１５】
側壁部、底部および頂部により構成され、少なくとも１つの開口部が通っているタンクを有する閉鎖タンク混合装置用の混合構造において、
タンクの開口部を通って延びている非回転の細長いアームを備えており、該アームは枢軸線を中心に移動可能に設けられたおり、
アームにこれと共にタンク内で移動可能に位置決めされた羽根車を備えており、羽根車は、アームが枢軸線を中心に前後に回動すると、タンク内で弧状経路に沿って前後に移動することを特徴とする混合構造。
【請求項１６】
タンクの開口部はタンクの側壁部に位置決めされていることを特徴とする請求項１５に記載の混合構造。
【請求項１７】
開口部の横でタンクの外側に枢着された支持体と更に備えており、アームは支持体にこれと共に移動可能に堅固に連結されており、支持体の移動が枢軸線を中心とするアームの回動を引起こすことを特徴とする請求項１６に記載の混合構造。
【請求項１８】
細長いアームを取り囲み、タンク内の内容物を密封し、完全に閉じ込めるための可撓性膜を更に備えていることを特徴とする請求項１５に記載の混合構造。
【請求項１９】
羽根車は第１および第２の直径方向に対向した翼を有しており、第１翼は第１側に概ね凹形の部分、および第２側に概ね凸形の部分を有しており、第２翼は第１側に概ね凹形の部分、および第２側に概ね凸形の部分を有しており、第１翼の第１側は弧状経路の一方の側に面しており、他方の翼の第１側は弧状経路の反対側に面しており、弧状経路に沿った羽根車の前後移動がタンク開口部と直角なタンク軸線を中心とするタンク内の網状円形の流れを生じることを特徴とする請求項１５に記載の混合構造。
【請求項２０】
羽根車は第１および第２の対向した翼を有しており、これらの翼は、弧状経路に沿った羽根車の前後移動がタンク開口部と直角なタンク軸線を中心とするタンク内の網状円形の流れを生じるように構成されていることを特徴とする請求項１５に記載の混合構造。
【請求項２１】
枢軸線はタンクの外側に位置決めされた少なくとも１つの支持軸により構成されており、支持体が枢軸千と中心に回動可能にこの軸と連結されており、細長いアームは支持体にこれと共に移動可能に堅固に連結されており、支持体を軸を中心に前後に回転させるためのモータがリンク仕掛け装置を介して支持体に連結されていることを特徴とする請求項１５に記載の混合構造。
【請求項２２】
枢軸線はタンクの外側の箇所で延びている少なくとも１つの支持軸により構成されており、この軸はタンク開口部に隣接して位置決めされた支持体にこれから片寄って連結されており、細長いアーム部材は支持体から延びており、枢軸線はアーム部材に沿った中間箇所でタンク内に位置決めされていることを特徴とする請求項１に記載の混合構造。
【請求項２３】
側壁部、底部および頂部を有しており、頂部には少なくとも１つの開口部が通っているタンクを備えている混合構造において、
タンクの頂部の開口部を通って延びていて、枢軸線を中心に移動可能に設けられた非回転の細長いアームと、
アームにこれと共にタンク内で移動可能に位置決めされた羽根車とを備えており、羽根車は、アームが枢軸線を中心に前後に回動すると、タンク内で弧状経路に沿って前後に移動し、また羽根車はタンク内に網状円形の流れを生じるように構成されていることを特徴とする混合構造。
【請求項２４】
羽根車は第１および第２の直径方向に対向した翼を有しており、第１翼は第１側に概ね凹形の部分、および第２側に概ね凸形の部分を有しており、第２翼は第１側に概ね凹形の部分、および第２側に概ね凸形の部分を有しており、第１翼の第１側は弧状経路の一方の側に面しており、他方の翼の第１側は弧状経路の反対側に面していることを請求項２３に記載の特徴とする混合構造。
【請求項２５】
タンクは少なくとも１つの入口および少なくとも１つの出口を有していることを特徴とする請求項２３に記載の混合構造。
【請求項２６】
細長いアームは、これを通っていて、流体をタンクに導入するための流体通路を有していることを特徴とする請求項２３に記載の混合構造。
【請求項２７】
アームの外端部が支持体に繋がっており、アームの一部が支持体を通って延びていることを特徴とする請求項２３に記載の混合構造。
【請求項２８】
タンクはシールされており、少なくとも１つのスプレーボール装置がタンク内に延びていることを特徴とする請求項２３に記載の混合構造。
【請求項２９】
側壁部が実質的に円筒形であることを特徴とする請求項２３に記載の混合構造。
【請求項３０】
側壁部、底部および頂部により構成され、頂部には少なくとも１つの開口部が通っているタンクを有する混合装置用の混合構造において、
タンクの頂部の上方に位置決めされ、湾曲経路に沿って移動可能であるボール/ソケット組立体と、
タンクの頂部の開口部を通って延びていて、ボール/ソケット組立体に連結された細長いアームと、
枢軸線と開口部との間で細長いアームに沿って位置決めされて、湾曲経路におけるボール/ソケット型組立体の移動中、細長いアームを非垂直な傾斜配向に維持するための支持体と、
アームにこれと共にタンク内で移動可能に位置決めされた羽根車とを備えており、羽根車は、ボール/ソケット型組立体がその湾曲経路に沿って移動すると、タンク内で湾曲経路で移動することを特徴とする混合構造。
【請求項３１】
支持体は少なくとも一部がタンクに連結されてシールとしても作用する可撓性膜により構成されていることを特徴とする請求項３０に記載の混合構造。
【請求項３２】
湾曲経路は円形であることを特徴とする請求項３０に記載の混合構造。
【請求項３３】
ボール/ソケット型組立体はモータを介して作動的に回転される支持体の下側に連結されていることを特徴とする請求項３２に記載の混合構造。
【請求項３４】
支持体はギア部材により構成されており、モータはこのギア部材を少なくとも１つの中間ギア部材により回転させるようにリンク接続されていることを特徴とする請求項３３に記載の混合構造。
【請求項３５】
タンク内でタンク開口部を通って延びている非回転の細長いアームを設け、
タンク内で細長いアームに羽根車を設け、
細長いアームを前後に移動させて羽根車をタンク内で弧状経路を通して前後に移動させることを特徴とするタンク装置用の混合方法。
【請求項３６】
タンク内の内容物を完全に閉じ込めるためにタンクおよび細長いアームの一部のまわりにシール構造を設けることを更に有することを特徴とする請求項３５に記載の方法。
【請求項３７】
タンク内の弧状経路の位置がタンクに対して固定されていることを特徴とする請求項３５に記載の方法。
【請求項３８】
タンク内でタンク開口部を通って延びている細長いアームを設け、
細長いアーム用の外部連結点を設け、該外部連結点が連続した湾曲経路で移動可能であり、
細長いアームの外端部と外部連結点との間にボール/ソケット型連結部を設け、
細長いアームを外部連結点とタンク開口部との間の支持位置に支持し、
タンク内で細長いアームに羽根車を設け、
細長いアームの支持位置を実質的に固定された位置に維持しながら、外部連結点をその連続した湾曲経路を通して繰り返し回転させてタンク内の連続した湾曲経路を通る羽根車の繰り返し移動を生じることを特徴とするタンク装置用の混合方法。
【請求項３９】
タンク内でタンク開口部を通って延びる非回転の細長いアームを設け、
タンク内で細長いアームに羽根車を設け、
タンク開口部および細長いアームのまわりにシール構造を設け、
細長いアームを枢軸線を中心に前後に回動して羽根車をタンク内で弧状経路を通して前後に移動させることを特徴とする閉鎖タンク装置において薬剤組成物を混合する方法。
【請求項４０】
タンク内でタンク開口部を通って延びる細長いアームを設け、
細長いアーム用の外部連結点を設け、この外部連結点が連続した湾曲経路で移動可能であり、
細長いアームの外端部と外部連結点との間にボール/ソケット型連結部を設け、
細長いアームを外部連結点とタンク開口部との間の支持位置に支持し、
タンク内で細長いアームに羽根車を設け、
細長いアームの支持位置を実質的に固定された位置に維持しながら、外部連結点をその連続した湾曲経路を通して繰り返し回転させてタンク内の連続した湾曲経路を通る羽根車の繰り返し移動を生じることを特徴とする閉鎖タンク装置において薬剤組成物を混合する方法。
【請求項４１】
タンクに取付けるための混合組立体おいて、
この組立体をタンク開口部に隣接して取付けるためのもので、タンク開口部と整合するための開口部を有している取付け板と、
板部材と取付け板との間に位置決めされ、取付け板の開口部と整合する開口部が通っている可撓性シールと、
可撓性シール内で延びる第１部分、および可撓性シールから取付け板の開口部を通って延びている第２部分を有する非回転の細長いアームと、
細長いアームの第２部分に連結された羽根車と、
細長いアームの第１部分を前後に移動させるために作動的に連結されたモータとを備えており、細長いアームの第1部分が前後に移動されると、羽根車が弧状経路に沿って前後に移動されることを特徴とする混合組立体。
【請求項４２】
取付け板の上方にこれから間隔を隔てて支持された板部材を更に備えており、
細長いアームの第１部分は板部材にこれと共に移動可能に連結されており、
モータはリンク仕掛け構造を介して板部材と作動的に連結されていることを特徴とする請求項４１に記載の組立体。
【請求項４３】
取付け板から延びている支持体を更に備えており、
板部材は支持体に回動可能に連結されていることを特徴とする請求項４２に記載の組立体。
【請求項４４】
取付け板から延びていて、取付け板の開口部のまわりに位置決めされたフランジを更に備えていることを特徴とする請求項４１に記載の組立体。
【請求項４５】
可撓性シールはベローズ組立体よりなることを特徴とする請求項４１に記載の組立体。
【発明の詳細な説明】
【技術分野】
【０００１】
本発明は混合構造に関し、より詳細には、タンク装置に使用するための混合構造に関する。
【背景技術】
【０００２】
最も一般に利用されているタンク混合構造は、タンクの液位の下方で延びており、羽根車が取付けられた軸を利用している。軸と羽根車との組合せが回転されてタンク内に流れを発生させる。円筒形混合タンクの場合、頂部から底部へ所望の流れを発生させるためにタンクの側壁部に沿ってバッフルがしばしば必要である。このような混合装置は一般に受入れられるが、或る混合環境では問題を生じることがある。
例えば、薬剤工業に一般に使用されるもののような「清浄」型混合環境では、混合タンクの内容物が完全に閉じ込められて環境から密封されることが必要とされる。回転軸/羽根車構造でこの結果を達成するのは極めて困難であることがわかる。回転シールの必要を無くすために磁気駆動装置を利用する試みが行われてきたが、これらの装置は高価であり、維持および清浄し難い。更に、回転型羽根車がしばしば必要とするバッフルにより、タンクの清浄をより困難にし、且つ高価にしている。
【発明の開示】
【発明が解決しようとする課題】
【０００３】
従って、本発明の目的は、開放型および閉鎖型混合装置両方に使用するのに容易に適した混合構造を提供することである。
【課題を解決するための手段】
【０００４】
一面では、側壁部、底部および頂部により構成され、頂部には少なくとも１つの開口部が通っているタンクを有する閉鎖タンク混合装置用の混合構造が提供される。この混合構造はタンクの頂部の開口部を通って延びていて、枢軸線を中心に移動可能に設けられた非回転の細長いアームと、アームにこれと共にタンク内で移動可能に位置決めされた羽根車とを有しており、羽根車は、アームが枢軸線を中心に前後に回動すると、タンク内で弧状経路に沿って前後に移動する。
【０００５】
他の面では、側壁部、底部および頂部により構成され、頂部には少なくとも１つの開口部が通っているタンクを有する閉鎖タンク混合装置用の混合構造が提供される。この混合構造はタンクの開口部を通って延びていて、枢軸線を中心に移動可能に設けられた非回転の細長いアームと、アームにこれと共にタンク内で移動可能に位置決めされた羽根車とを有しており、羽根車は、アームが枢軸線を中心に前後に回動すると、タンク内で弧状経路に沿って前後に移動する。
【０００６】
他の面では、混合構造は側壁部、底部および頂部により構成され、頂部には少なくとも１つの開口部が通っているタンクを有している。この構造は、タンクの頂部の開口部を通って延びていて、枢軸線を中心に移動可能に設けられた非回転の細長いアームと、アームにこれと共にタンク内で移動可能に位置決めされた羽根車とを有しており、羽根車は、アームが枢軸線を中心に前後に回動すると、タンク内で弧状経路に沿って前後に移動し、また羽根車はタンク内に網状円形の流れを生じるように構成されている。
【０００７】
他の面では、側壁部、底部および頂部により構成され、頂部には少なくとも１つの開口部が通っているタンクを有する混合装置用として混合構造が提供される。この混合構造はタンクの頂部の上方に位置決めされ、湾曲経路に沿って移動可能であるボール/ソケット組立体と、タンクの頂部の開口部を通って延びていて、ボール/ソケット組立体に連結された細長いアームと、枢軸線と開口部との間で細長いアームに沿って位置決めされて、湾曲経路におけるボール/ソケット組立体の移動中、細長いアームを非垂直な傾斜配向に維持するための支持体と、アームにこれと共にタンク内で移動可能に位置決めされた羽根車とを備えており、羽根車は、ボール/ソケット組立体がその湾曲経路に沿って移動すると、タンク内で湾曲経路で移動する。
【０００８】
他の面では、タンク装置用の混合方法は、タンク内でタンク開口部を通って延びている非回転の細長いアームを設け、タンク内で細長いアームに羽根車を設け、タンク開口部および細長いアームのまわりにシール構造を設け、細長いアームを前後に移動させて羽根車をタンク内で弧状経路を通して前後に移動させることを特徴とする。
【０００９】
他の面では、タンク装置用の混合方法は、タンク内でタンク開口部を通って延びている細長いアームを設け、細長いアーム用の外部連結点を設け、外部連結点が連続した湾曲経路で移動可能であり、細長いアームの外端部と外部連結点との間にボール/ソケット型連結部を設け、細長いアームを外部連結点とタンク開口部との間の支持位置に支持し、タンク内で細長いアームに羽根車を設け、細長いアームの支持位置を実質的に固定された位置に維持しながら、外部連結点をその連続した湾曲経路を通して繰り返し回転させてタンク内の湾曲経路を通る羽根車の繰り返し移動を生じることを特徴とする。
【００１０】
他の面では、閉鎖タンク装置において薬剤組成物を混合する方法は、タンク内でタンク開口部を通って延びる非回転の細長いアームを設け、タンク内で細長いアームに羽根車を設け、タンク開口部および細長いアームのまわりにシール構造を設け、細長いアームを枢軸線を中心に前後に回動して羽根車をタンク内で弧状経路を通して前後に移動させることを特徴とする。
【００１１】
他の面では、閉鎖タンク装置において薬剤組成物を混合する方法は、タンク内でタンク開口部を通って延びる細長いアームを設け、細長いアーム用の外部連結点を設け、この外部連結点が連続した湾曲経路で移動可能であり、細長いアームの外端部と外部連結点との間にボール/ソケット型連結部を設け、細長いアームを外部連結点とタンク開口部との間の支持位置に支持し、タンク内で細長いアームに羽根車を設け、細長いアームの支持位置を実質的に固定された位置に維持しながら、外部連結点をその連続した湾曲経路を通して繰り返し回転させてタンク内の湾曲経路を通る羽根車の繰り返し移動を生じることを特徴とする。
【００１２】
他の面では、タンクに取付けるための混合組立体において、この組立体をタンク開口部に隣接して取付けるためのもので、タンク開口部と整合するための開口部を有している取付け板と、板部材と取付け板との間に位置決めされ、取付け板の開口部と整合する開口部が通っている可撓性シールと、可撓性シール内で延びる第１部分、および可撓性シールから取付け板の開口部を通って延びている第２部分を有する非回転の細長いアームと、細長いアームの第２部分に連結された羽根車と、細長いアームの第１部分を前後に移動させるために作動的に連結されたモータとを備えており、細長いアームの第1部分が前後に移動されると、羽根車が弧状経路に沿って前後に移動されることを特徴とする混合組立体が提供される。薬剤組成物を混合しようとする場合、または他の場合、タンク、アームおよび羽根車がガラスでライニングされている。
【００１３】
羽根車が掃引型運動でタンク内で移動される混合方法および構造の他の変形例も可能である。混合構造の各々はバッフル無しの円筒形タンクとの組合せで使用し得る。非円筒形タンクでの使用も意図される。更に、混合中に材料が流通する入口および出口を有する連続流式タンクにおける混合構造の使用も意図される。
ここで使用する場合、語「可撓性シール」は完全に可撓性材料よりなる部材、および部分的にのみ可撓性材料よりなる部材を広く含むものである。ここで使用する場合、語「細長いアーム」は一体アーム部材、多部品アーム部材、まっすぐな軸方アーム部材、および非まっすぐなアーム部材を広く含むものである。
【発明を実施するための最良の形態】
【００１４】
図面を参照すると、タンク１２用の混合構造１０の概略図が図１Aおよび図１Bの正面および側面立面図に示されている。タンク１２は底壁部１４、側壁部１６および頂壁部１８を有している。底壁部１４は湾曲されているのがよく、側壁部１６は円筒形であるのがよく、頂壁部１８は開口部を有して全開していても、部分的に閉じられてもよい。タンク１２内の液が２０で示されている。非回転性の細長いアーム２２がタンクの中へ延びており、このアーム２２はこれに連結されてタンク内に位置決めされた羽根車２４を有している。細長いアーム２２はまっすぐな軸の形態を採るのがよいが、他の形態をとることもできる。アーム２２は枢軸線２６を中心に回転可能に連結されている。混合作動においては、アーム２２は羽根車２４をタンク内の弧状経路に沿って前後に移動させてタンク内に流れを発生させるために枢軸線２６を中心に前後に枢動される。３５０サイクル/分未満の軸および羽根車の枢動速度およびタンクの直径の少なくとも３０％にわたる羽根車の移動で適当な混合を達成することができる。もちろん、これらの範囲以外の変更も可能であって、意図される。タンク内の弧状経路の位置は通常の混合作動中に固定される。しかしながら、アーム２２上の羽根車の位置が弧状経路の位置を変えることによって調整可能であることはわかる。
【００１５】
図示の実施例では、枢軸線はタンク１２の開口部の上方に位置決めされている。詳細には、アーム２２は枢軸線２６を中心に枢動可能にタンクの上方に支持された板部材の形態の支持体にカップラ２９により連結されている。板部材の形態の支持体の使用を主として説明するが、他の支持体構成も意図される。板部材は夫々の側軸３２に取付け可能に成形された側部を有している。側軸３２はプラットフォーム３６に取付けられるブラケット/ブレース３４により支持されている。ブラケット３４間に延びている単一の軸を使用することもできる。板部材３０は軸３２間の軸受け連結部を介して軸３２に対して回転し得る。変更例として、板部材３０は軸３２に堅固に連結されてもよく、軸は軸受け連結部を介してブラケット３４に対して回転可能である。いずれの場合にも、板３０は枢軸線を中心に前後に枢動してアーム２２および羽根車２４を所望に応じて移動させることができる。変更例として、アーム２２は適切なシールを施して板３０の開口部を通って延びることができる。図示に実施例では、板部材３０の頂部はモータ組立体３７により移動可能にリンク装置を介して連結されている。モータ組立体３７の回転出力軸はリンク仕掛け４０を回転可能にリンク仕掛け４０に連結している。リンク仕掛け４０はリンク仕掛け４２に枢動可能に連結されており、リンク仕掛け４２は板３０に堅固に連結されているリンク仕掛け４４に枢動可能に連結されている。アーム２２の枢動量を制御するための調整可能な駆動機構を設けることにより弧状経路に沿った羽根車２４の移動範囲が混合作動から混合作動まで調整し得ることはわかるであろう。
【００１６】
タンク１２内の弧状経路を通して羽根車を前後に移動させることによりアーム２２が通っている開口部と直角なタンク軸線のまわりでタンク内に網状円形流を生じることができる。図１ないし図９の図示の実施例の場合、このようなタンク軸線は垂直であり、図１０ないし図１３の図示の実施例では、このようなタンク軸線は水平である。羽根車の弧状移動によりタンク内の頂部→底部→頂部の流れ(図１ないし図９)を発生させることもできる。羽根車の適切な構成により網状円形の流れの発生を容易にし得る。図示の実施例では、羽根車２４は直径方向に対向した翼４６を有している。一方の翼は、経路２８に沿った第１方向に移動するときに発生する流れが経路２８に沿った第２の反対方向に移動するときに発生する流れより多いように成形されている。他方の翼は、経路２８に沿った第１方向に移動するときに発生する流れが経路２８に沿った第２の反対方向に移動するときに発生する流れより少ないように成形されている。例えば、各翼に適切に設けられた曲がりにより各翼の一方の側に凹形部分をもたらし、各翼の他方の側に凸形部分をもたらしている。
【００１７】
図１Aおよび図１Bの実施例は入口および出口を有する連続撹拌式タンク反応器用タンクに使用することができる。例えば、入口５０をタンク１２の下部分に位置決めすることができ、溢流出口５２をタンク１２の上部分に位置決めすることができる。多数の入口および出口を設けることもできる。入口および出口を有するタンクを下記の構造と関連して使用することもできることはわかるであろう。
【００１８】
図２および図３の正面図には、他の実施例が部分的に示されており、この場合、タンク６０は全体的に覆われた頂部６２を有しており、この頂部６２には、フランジ６６をまわりに有する突出首部６４を経て開口部が貫通している。枢動軸６８および関連板７０が示されており、アーム７２が板７０の下側からタンクと、アーム７２に連結された羽根車７４との中へ延びている。閉鎖タンク混合装置を設けるためにタンクの内容物を完全に封入すべく、可撓性の膜型シール７６（横断面でのみ示してある）がアーム７２のまわり及び板７０とタンクとの間に連結されている。膜７６をフランジ６６および板７０に取付けるのにそれぞれ支持リング７８、８０を使用するのがよい。膜はシール構造を維持しながら板部材７０の移動を容易にするために適当な強さの任意の材料で製造することができる。例として、限定としてではなく、膜はポリテトラフルオロエチレン（PTFE）、フルオロエラストマ材料、パーフルオロエラストマ材料、ステンレス鋼材料、エラストマ材料、ニッケル合金材料、またはそれらの組合せのうちのいずれか１つである。特に、軸および羽根車は図示の混合装置では回転されないので、シールする必要がある移動界面が無い。
【００１９】
図４および図５はベローズ組立体９０の形態の可撓性シールを利用している他の実施例の正面図を示している。図示の実施例では、ベローズ組立体はフランジ６６の上面に固定された環状下板９２と、板７０の下側に固定された環状上板９４と、両板９２、９４間に延びるベローズ膜９６とにより構成されている。板９２と、フランジ６６と、板９４と、板７０との間にガスケットまたはOリングを位置決めするのがよい。ベローズ膜９６の端部は膜を適所にしっかり保持するために板９２と、フランジ６６と、板９４と、板７０との間に位置決めするのがよい。板９２をフランジ６６に固着するのに複数のボルト９５およびナット９７を使用するのがよい。同様なボルトおよびナット組立体で板９４を板７０に取付けるのがよい。もちろん、他の取付け装置を使用することもできる。加圧情況下で膜の破壊を防ぐためにベローズ膜のまわりに環状支持リングを設けてもよい。
【００２０】
図６はタンク開口部の下方に枢軸線が位置決めされている実施例を概略的に示している。詳細には、タンク１００は開口部を画成する首部１０４およびフランジ１０６を持つ頂部分１０２を有している。開口部の上方には、板１０７が位置決めされており、羽根車１１０を前後に移動させるためのアーム１０８が板の下側からタンク１００の中へ延びている。タンクを完全に包囲するためのベローズ組立体１１２が設けられている。板１０７から側軸１１４が延びており、これらの側軸１１４はアーム１０８用の枢軸線を構成するように支持体１１６に枢着されており、枢軸線はタンクの開口部の下方に位置でタンクを通って延びている。アーム１０８がまっすぐな場合、枢軸線はアームが垂直に配向される場合にアームと交差し得る。
【００２１】
混合タンクに設けるのに適した混合構造が図７に示されており、この場合、タンク１３０は首部１３２およびフランジ１３４を有している。混合構造は複数のボルト１３８を介してタンクフランジ１３４へ取付けるための取付け板１３５を有している。シールの目的で取付け板とフランジ１３４との間にガスケット１４０が設けられている。ガスケット１４０および取付け板１３６の両方はフランジ１３４および首部１３２により画成されたタンク開口部と整合する開口部１４２、１４４を有している。フランジ１４６が取付け板１３６から延びていて、取付け板の開口部のまわりに位置決めされている。フランジ１４６は取付け板と一体でもよく、或いは例えば溶接により取付け板に取付けられてもよい。支持壁部１４８が取付け板から上方に延びており、この支持壁部１４８は取付け板と一体でもよく、或いは取付け板に連結されてもよい。壁部１４８は左側および右側に示されているが、単一の壁部を設けることも可能である。支持壁部には、板部材１５０がフランジ１４６から間隔を隔てて枢動可能に連結されている。板部材１５０の枢動可能な連結は壁部１４８に連結された側軸１５２および支持ブラケット１５４により行われるのがよい。板部材１５０とフランジ１４６との間には、ベローズ組立体１５６が連結されている。このベローズ組立体は上側および下側の環状リング１５８、１６０を有しており、これらのリング間にベローズ膜１６２が延びている。上側および下側の環状リング１５８、１６０はボルトや、ねじまたはクランプのような他の留め手段を使用して板部座愛１５０およびフランジ１４６にそれぞれ連結される。シールの目的でガスケット１６４、１６６を設けるのがよい。また、ベローズ組立体１５６は、リング１５８、１６０間に延びて両リング１５８、１６０間の相対移動を制限するための複数の金属製可撓性ロープ型膜１６８を有しており、１つまたはそれ以上の環状バンド１７０が支持のためにベローズ膜を取り囲んでいる。フランジ１４６は省くこともでき、ベローズ組立体はガスケットを介在させて取付け板に直接連結されている。
【００２２】
ベローズ組立体により包囲された板部材１５０の部分には、細長いアーム１７２が連結され、このアーム１７２はタンク１３０の中へ延びている。アーム１７２には、羽根車(図示せず)がタンク内で連結されている。このアームは羽根車をタンクないで弧状経路を通して前後に移動させるために枢軸線を中心に前後に移動される。これに関して、頂支持壁部に９取付けられたモータ組立体１７４を有する駆動装置には、板部材１５０まで延びているリンク仕掛け装置１７８が設けられている。このリンク仕掛け装置１７８はモータ組立体の回転出力軸とともに回転可能に連結されたリンク１８０を有するのがよい。リンク１８０はピンまたは軸１８２を介してリンク１８４に繋がっている。リンク１８４は軸１８６に繋がっており、この軸１８６は下方に延びて板部材１５０に繋がっている。もちろん、空気圧式、油圧式などを含めて他の駆動装置を設けることもできる。
【００２３】
他の実施例が図９に示されており、この実施例は取付け板の開口部の下方に枢軸線を設けたこと意外は、図７の実施例と同様な多くの構成要素を有している。詳細には、支持壁部１９０が取付け板１３６から下方に延びており、側軸１９２が壁部１９０上の枢軸線１９４に連結するために水平に次いで下方に延びている。モータ組立体１９６およびリンク仕掛け装置１９８を有する駆動装置が軸を前後に押すのがよく、リンク仕掛けは軸１９２の垂直方向に延びる部分のまわりに摺動カラー２００を有している。また、駆動装置を軸１９２の水平部分と関連させるか、或いは図７の実施例のように板１５０と関連させることができる。
【００２４】
上記の実施例は頂側開口部を有するタンク用の混合構造を意図しているが、側取付け構造を設けることもできる。このような構造の１つの実施例が図１０および図１１に示されており、この実施例は上記実施例と同様な多くの構成要素を利用している。タンク２１０は側方に延びる首部２１２および関連フランジ２１４と、このフランジと板部材２１８との間のベローズ組立体２１６とを有しており、板部材は軸線２２０を中心に移動可能に枢着されている。モータ組立体２２２および駆動リンク仕掛け２２４も設けられている。アーム２２８上の羽根車２２６は図１０の図におけるページ内外の方向の経路を通って、また図１１の側面図に矢印２３０で示すように左側から右側へ前後に移動される。その結果得られる網状円形の流れ２３２を図１１に示してある。図１２を参照すると、枢軸点２４０がこのページの方向に規定された同様な構造では、羽根車が経路２４４に沿って上下に移動される。この枢軸線を達成するための支持体は図示していないが、他の構成のものと本質的に同じである。網状円形の流れ２４６を図１３の側面図に示してある。
【００２５】
羽根車の上下運動を行う構造が図１４および図１５に示されている。タンク２５０が側壁部２５２と、底部２５４と頂部２５６とにより構成されており、頂部には、少なくとも１つの開口部が貫通しており、この開口部は首部２５８およびフランジにより構成されている。この混合構造は、タンクの頂部の上方に位置決めされ、タンク開口部の中心点と同心な中心点を有する実質的に円形の経路に沿って移動可能であるボール/ソケット組立体２６２を有している。軸２６４が板２６６まで延びており、軸２６８が板２６６からタンクの中へ延びている。フランジ２６０と板２６６との間には、ベローズ組立体２７０が設けられている。このベローズ組立体２７０は軸２６４、板２６６および軸２６８により構成された細長いアームに沿って位置決めされた支持体として作用する。かくして、細長いアームは円形経路におけるボール/ソケット型組立体の移動中、非垂直な傾斜配向に維持される。板２２６の外面のまわりに或いは軸２６４のまわりに追加の支持構造体を設けることもできる。羽根車２７２がアームにこれと共にタンク内で移動可能に位置決めされており、ボール/ソケット型組立体がその実質的に円形の経路に沿って移動すると、この羽根車はタンク内で実質的に円形の経路で移動する。ボール/ソケット型組立体はギア部材により構成し得る回転晩２７４に取付けられるのがよい。板２７４はターンテーブルに回転可能に支持されるのがよい。板を回転させるのにモータ２７８およびスパーギア２８０の組合せを使用してもよい。タンク内の羽根車２７２の円形経路は図１５の頂面図に示されている。ボール/ソケット型組立体をその円形経路を通して移動させるための他の駆動装置を設けることもでき、ボール/ソケット型組立体を非円形の湾曲経路で移動させるのに同じ装置を設けてもよいことが意図される。ここで使用する場合、語「ボール/ソケット型組立体」は移動中、軸２６４と支持体との間の回転を許容する軸支持構造体を広く含むものである。例えば、軸２６４には、拡大上頭部分を形成することができ、ボール/ソケット型組立体は頭部の直下であって頭部が載る軸の部分を取り囲む管状部材により形成することができ、管状部材は板２７４と回転可能に連結されている。
【００２６】
図１６を参照すると、リニアモータの使用を示す実施例が示されており、この実施例は首部３０２およびフランジ３０４を有するタンク３００を備えている。フランジ３０４には、板３０６が取付けられており、フランジ３０４と板３０６との間には、Oリングが位置決めされるのがよい。ピローブロックベアリング３０８が板３０６から上方に延びており、ピボット軸３１０がブロックに枢着されている。ピボット軸３１０は上板３１２に繋がっている。また、下板３０６には、リニアモータ３１４が位置決めされており、リンク仕掛け３０８がモータ３１４と上板３１２との間に延びている。軸３１８はバッフル組立体内で上方に延びていて、上版１２に繋がっている。リニアモータ３１４はリンク仕掛け３１６を上下に移動させて上板１２を前後に回動させ、それにより羽根車３１９を弧状経路に沿って前後に移動させる。
【００２７】
清浄目的の内部スプレーボールを有する実施例が図１８に示されている。タンク３２０は上首部３２２およびフランジ３２４を有している。ベローズ組立体３２６がフランジ３２４と上側支持板３２８との間に延びている。板３２８はここでは１つまたはそれ以上の穴を有しており、端部に関連したスプレーボール３３２を設けた１つまたはそれ以上のホース３３０がこの穴を通って延びている。清浄の目的で清浄流体をタンクの内部に導入することができ、特にベローズ組立体に差し向けることができる。上板は軸３３４、３３６と回動可能に連結されている。この実施例では、図１８の拡大図でよりはっきりわかるように、板３２８は非回転混合軸３４０の上部３３８が通る中央開口部を有している。上部３３８は板３２８の下方のテーパ部分３４２と、ナット３４６により固着されるために板の上方で延びているねじ部分３４４とを有している。テーパ部分３４２は板３２８の下側に着座するための安定化表面３４８を有しており、シールの目的でOリング３５０を設けるのがよい。板３２８はキー溝３５２を有するのがよく、混合軸はその回転を防ぐためのキー３５４を有するのがよい。軸の回転を防ぐための他の構造体を設けることができ、或る場合には、ナット３４６の係止力で十分である。
【００２８】
図１８は通路３５６が通っている軸を示している。このような軸を有し、材料をこの軸を通して板３２８を通って延びる軸部分に対する連結部を経てタンクに導入するようになっている実施例を提供することができる。通路は材料混合箇所で導入するために取付け羽根車までずうっと延びることができ、タンク内の種々に液位のうちのいずれかで材料を導入するために軸の長さに沿って１つまたはそれ以上の開口部を有することができ、或いは２つの開口部を有することができる。先に述べた混合構造のいずれも同様に通路が通っているこのような軸を有することができる。
本発明を幾つかの実施例に関して詳細に以上に述べたが、添付の特許請求の範囲の広範化および狭範化変更例を含む変形例および変更例を行うことができることはわかるであろう。
【図面の簡単な説明】
【００２９】
【図１Ａ】好例の混合構造の正面図である。
【図１Ｂ】好例の混合構造の側面図である。
【図２】他の好例の混合構造の図である。
【図３】図２の上部分の拡大図である。
【図４】他の好例の混合構造の図である。
【図５】図４の上部分の拡大図である。
【図６】他の好例の混合構造の図である。
【図７】他の好例の混合構造の上部分を示す図である。
【図８】図７の線８−８に沿った側立面図である。
【図９】他の好例の混合構造の頂部分を示す図である。
【図１０】好例の横配向の混合構造を示す図である。
【図１１】図１０の線１１−１１に沿った側立面図である。
【図１２】他の好例の横配向の混合構造を示す図である。
【図１３】図１２の線１３−１３に沿った側立面図である。
【図１４】上下運動羽根車軸を備えた好例の混合構造を示す図である。
【図１５】図１４の線１５−１５に沿った頂面図である。
【図１６】他の好例の混合構造の図である。
【図１７】内部スプレーボールおよび内部通路付き混合軸を有する好例の混合構造の頂部分を示す図である。
【図１８】図１７の上部分の拡大図である。
【国際公開パンフレット】
2004532115.tif 000003
2004532115.tif 000004
2004532115.tif 000005
2004532115.tif 000006
2004532115.tif 000007
2004532115.tif 000008
2004532115.tif 000009
2004532115.tif 000010
2004532115.tif 000011
2004532115.tif 000012
2004532115.tif 000013
2004532115.tif 000014
2004532115.tif 000015
2004532115.tif 000016
2004532115.tif 000017
2004532115.tif 000018
2004532115.tif 000019
2004532115.tif 000020
2004532115.tif 000021
2004532115.tif 000022
2004532115.tif 000023
2004532115.tif 000024
2004532115.tif 000025
2004532115.tif 000026
2004532115.tif 000027
2004532115.tif 000028
2004532115.tif 000029
2004532115.tif 000030
2004532115.tif 000031
2004532115.tif 000032
2004532115.tif 000033
【国際調査報告】
2004532115.tif 000034